(57)【要約】【課題】  情報処理装置に接続されている外部記憶装置に関する情報を表示可能な情報処理装置および該情報処理装置の表示制御方法を提供する。【解決手段】  外部記憶装置を接続可能な接続部と表示部を具備し、表示部には情報処理装置における前記接続部の実装位置を示すとともに接続部に接続された外部記憶装置にアクセス可能であるか否かを示すアイコンが表示される。【選択図】  図３
2007156554.tif 000002
【特許請求の範囲】
【請求項１】
情報処理装置において、
外部記憶装置を接続可能な接続部と、
本情報処理装置における前記接続部の実装位置を示すとともに前記接続部に接続された前記外部記憶装置にアクセス可能であるか否かを示すアイコンを表示する表示部と、
を具備することを特徴とする情報処理装置。
【請求項２】
前記アイコンは、本情報処理装置における前記接続部の実装位置を示すとともに前記接続部に接続された前記外部記憶装置にアクセス可能であることを示し且つ前記接続部に接続された前記外部記憶装置はアクセス対象である外部記憶装置であると指定されていることを示すアイコンであることを特徴とする請求項１記載の情報処理装置。
【請求項３】
前記表示部は、前記接続部に接続された前記外部記憶装置がアクセス可能な外部記憶装置である場合に前記アクセス可能な外部記憶装置を示す情報を表示することを特徴とする請求項１記載の情報処理装置。
【請求項４】
前記アイコンは、前記接続部に接続された前記外部記憶装置にアクセス可能であることを示し且つ前記接続部に接続された前記外部記憶装置はアクセス対象である外部記憶装置であると指定されていることを示すアイコンであり、
前記表示部は、前記接続部に接続された前記外部記憶装置にアクセス可能であることを示し且つ前記接続部に接続された前記外部記憶装置はアクセス対象である外部記憶装置であると指定されていることを示すアイコンを表示するとともに、前記接続部に接続された前記外部記憶装置にアクセス可能であることを示し且つ前記接続部に接続された前記外部記憶装置はアクセス対象である外部記憶装置であると指定されていることを示す前記外部記憶装置を示す情報を表示することを特徴とする請求項１記載の情報処理装置。
【請求項５】
前記表示部は、前記接続部に接続された前記外部記憶装置がアクセス可能な外部記憶装置である場合に、前記アクセス可能な外部記憶装置に記憶されているデータに関する情報を表示することを特徴とする請求項１記載の情報処理装置。
【請求項６】
前記表示部は、前記アイコンをウィンドウ中に表示することを特徴とする請求項１記載の情報処理装置。
【請求項７】
第２の外部記憶装置と接続可能な第２の接続部をさらに具備し、
前記表示部は、前記第２の接続部の位置を示すとともに前記第２の接続部に接続された前記第２の外部記憶装置にアクセス可能であるか否かを示すアイコンを表示し、前記接続部に接続された前記外部記憶装置がアクセス可能な外部記憶装置である場合に前記アクセス可能な外部記憶装置を示す情報を表示し、前記第２の接続部に接続された前記第２の外部記憶装置がアクセス可能な外部記憶装置である場合に前記アクセス可能な前記第２の外部記憶装置を示す情報を表示することを特徴とする請求項１記載の情報処理装置。
【請求項８】
表示部と外部記憶装置を接続可能な接続部とを具備する情報処理装置にて実行される表示制御方法において、
前記接続部に前記外部記憶装置が接続されているか否かを検出し、
前記検出処理後、前記表示部に表示され、前記情報処理装置における前記接続部の実装位置を示すとともに前記接続部に接続された前記外部記憶装置にアクセス可能であるか否かを示すアイコンを表示することを特徴とする表示制御方法。
【請求項９】
前記検出処理後、前記情報処理装置における前記接続部の実装位置を示すとともに前記接続部に接続された前記外部記憶装置にアクセス可能であることを示し且つ前記接続部に接続された前記外部記憶装置はアクセス対象である外部記憶装置であると指定されていることを示すアイコンを表示することを特徴とする請求項８記載の表示制御方法。
【請求項１０】
前記接続部に接続された前記外部記憶装置がアクセス可能な外部記憶装置である場合に、前記アクセス可能な外部記憶装置を示す情報を前記表示部に表示することを特徴とする請求項８記載の表示制御方法。
【請求項１１】
前記接続部に接続された前記外部記憶装置がアクセス可能な外部記憶装置である場合に、前記アクセス可能な外部記憶装置に記憶されているデータに関する情報を前記表示部に表示することを特徴とする請求項８記載の表示制御方法。
【発明の詳細な説明】
【技術分野】
【０００１】
本発明は、例えばコンピュータといった情報処理装置および該情報処理装置における表示制御方法に関する。
【背景技術】
【０００２】
近年、例えばＵＳＢやＩＥＥＥ１３９４等の様々なインタフェースの普及により例えばパーソナルコンピュータといった情報処理装置に様々なインタフェースが実装されている。情報処理装置に実装されている様々なインタフェースに接続されるデバイスの種類は多岐に亘る。
【０００３】
情報処理装置に接続されるデバイスの種類として、例えばＵＳＢメモリやＩＥＥＥ１３９４インタフェースを有するＨＤＤといった記憶装置等が考えられる。これら記憶装置は情報処理装置に複数接続されることも多々ある。
【０００４】
複数種類のインタフェースによってホスト計算機と記憶装置とが相互接続された環境において、ディスプレイにインタフェース、デバイスの種類等の情報を表示する技術があった（特許文献１参照。）。
【特許文献１】特開２００３−１４１０５４号公報
【発明の開示】
【発明が解決しようとする課題】
【０００５】
情報処理装置に記憶装置が接続されると、情報処理装置の有する表示デバイスに情報処理装置を制御するオペレーティングシステムによって例えば「ドライブ（Ｄ）」といった表示がなされる。
【０００６】
しかしながら、情報処理装置に複数の記憶装置が接続されている場合、どの記憶装置が情報処理装置におけるどの位置に実装されているインタフェースに接続されているのかをユーザは明確に把握しがたい。
【０００７】
そこで、本発明は、情報処理装置に接続されている外部記憶装置に関する情報を表示可能な情報処理装置および該情報処理装置の表示制御方法を提供することを目的とする。
【課題を解決するための手段】
【０００８】
上記目的を達成するために、請求項１に係わる情報処理装置は、外部記憶装置を接続可能な接続部と、本情報処理装置における前記接続部の実装位置を示すとともに前記接続部に接続された前記外部記憶装置にアクセス可能であるか否かを示すアイコンを表示する表示部とを具備することを特徴とする。
【０００９】
また、請求項８に係わる情報処理装置の表示制御方法は、表示部と外部記憶装置を接続可能な接続部とを具備する情報処理装置にて実行される表示制御方法において、前記接続部に前記外部記憶装置が接続されているか否かを検出し、前記検出処理後、前記表示部に表示され、前記情報処理装置における前記接続部の実装位置を示すとともに前記接続部に接続された前記外部記憶装置にアクセス可能であるか否かを示すアイコンを表示することを特徴とする。
【発明の効果】
【００１０】
本発明によれば、情報処理装置に接続されている外部記憶装置に関する情報を表示可能な情報処理装置および該情報処理装置の表示制御方法を提供することが可能となる。
【発明を実施するための最良の形態】
【００１１】
図１はノートブック型パーソナルコンピュータ（以下、コンピュータと称す。）１のディスプレイユニット３を本体２に対して開いた状態の一例を示す斜視図である。
【００１２】
コンピュータ１は本体２とディスプレイユニット３とから構成される。ディスプレイユニット３には、表示部であるＬＣＤ（Liquid Crystal Display）４を有する表示装置が組み込まれており、ＬＣＤ４はディスプレイユニット３のほぼ中央に位置される。
【００１３】
ディスプレイユニット３は、本体２に対して開放位置と閉塞位置との間を回動自在に取り付けられる。本体２は略箱形の形状を有しており、本体２の上面にはキーボード５、コンピュータ１の電源をオン／オフするためのパワーボタン６等が配置される。パワーボタン６はコンピュータ１を使用開始する際、押し下げ操作される。次に、コンピュータ１の構成について説明する。
【００１４】
図２はコンピュータ１の構成の一例を示す図である。
【００１５】
ホストハブ（第１のブリッジ回路）１１には、ＣＰＵ１０、メインメモリ１３、グラフィックスコントローラ１５およびＩ／Ｏハブ２０が接続されている。
【００１６】
ホストハブ１１はシステムバス１２を介してＣＰＵ１０と接続される。ホストハブ１１はメインメモリ１３へのアクセスを制御するメモリコントローラを内蔵する。
【００１７】
ＣＰＵ１０はコンピュータ１のシステムを制御するメインプロセッサである。ＣＰＵ１０は外部記憶装置であるＨＤＤ２１からメインメモリ１３にロードされる、オペレーティングシステム（ＯＳ）１３ｂ、アプリケーションプログラム、ユーティリティプログラムを実行する。
【００１８】
また、ＣＰＵ１０はＢＩＯＳ−ＲＯＭ２７からメインメモリ２３にロードされたＳｙｓｔｅｍ  ＢＩＯＳ（Basic Input Output System）１３ａを実行する。
【００１９】
ホストハブ１１にＡＧＰ（Accelerated Graphics Port）バス１６を介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤ４に表示する。
【００２０】
ホストハブ１１と接続されるＩ／Ｏハブ（第二のブリッジ回路）２０は、ＬＰＣ（Low pin count）バス２６上の各デバイスを制御する。
【００２１】
Ｉ／Ｏハブ２０は、ＨＤＤ２１、ＯＤＤ２２、オーディオコーディック２３、ＵＳＢコネクタ２５ａ、ＵＳＢコネクタ２５ｂ、ＩＥＥＥ１３９４コネクタ２６およびＬＡＮコントローラ３３と接続される。
【００２２】
外部記憶装置でありシリアルＡＴＡ規格をサポートするＨＤＤ２１はシリアルＡＴＡ規格をサポートするシリアルＡＴＡバス２１ａを介してＩ／Ｏハブ２０と接続される。
【００２３】
ＨＤＤ（磁気ディスクデバイス）２１は磁気ディスクデバイスである。ＨＤＤ２１にはオペレーティングシステム（ＯＳ）１３ｂ、アプリケーションプログラム、ユーティリティプログラムおよびアプリケーションプログラムを使用することで生成されたデータ等が記憶される。
【００２４】
パラレルＡＴＡ規格をサポートするＯＤＤ２２はパラレルＡＴＡ規格をサポートするパラレルＡＴＡバス２２ａを介してＩ／Ｏハブ２０と接続される。
【００２５】
ＬＡＮコントローラ３３は通信コントローラであり、ＭＡＣ（Media Access Controller）と物理層（ＰＨＹ）トランシーバが実装される。ＬＡＮコントローラ３３は所定の通信プロトコルに従って他の通信装置と通信を行い、通信速度の異なる複数の通信モードで通信を行うことが可能である。
【００２６】
ＬＡＮコントローラ３３にはＬＡＮコネクタ３４が接続される。ＬＡＮコネクタ３３の一例として、絶縁用トランスフォーマで構成されるＲＪ−４５コネクタ等が挙げられる。
【００２７】
また、Ｉ／Ｏハブ２０には、オーディオコーディック２３が接続される。
【００２８】
オーディオコーディック２３はＩ／Ｏハブ２０とＡＣ（Audio Codec）９７を介して接続される。オーディオコーディック２３は、サウンド入出用のコーディックの一種である。オーディオコーディック２３は、入出力されるサウンドのコーディック部等を有する。
【００２９】
オーディオコーディック２３にはＡＭＰ２３ａが接続される。ＡＭＰ２３ａはオーディオコーディック２３にて生成されたサウンド信号を増幅する。ＡＭＰ２３ａによって増幅されたサウンド信号はスピーカに送出され、スピーカは可聴周波数帯の音波を出力する。
【００３０】
また、Ｉ／Ｏハブ２０にはＵＳＢコントローラが内蔵されている。ＵＳＢコントローラはＵＳＢを介して接続部であるＵＳＢコネクタ２５ａおよびＵＳＢコネクタ２５ｂと接続される。ＵＳＢコネクタ２５ａおよびＵＳＢコネクタ２５ｂには、ＵＳＢインタフェースを有する外部機器、例えば、ＵＳＢインタフェースを有するＦＤＤ、ＵＳＢインタフェースを有するメモリ等といった外部記憶装置が接続される。
【００３１】
さらに、Ｉ／Ｏハブ２０にはＩＥＥＥ１３９４コントローラが内蔵されている。ＩＥＥＥ１３９４コントローラはＩＥＥＥ１３９４通信用バスを介して接続部であるＩＥＥＥ１３９４コネクタ２６と接続される。ＩＥＥＥ１３９４コネクタ２６にはＩＥＥＥ１３９４インタフェースを有する外部機器、例えば、ＩＥＥＥ１３９４インタフェースを有するＨＤＤ、ＩＥＥＥ１３９４インタフェースを有するＤＶＤ等といった外部記憶装置が接続される。
【００３２】
ＬＰＣバス２６上にはエンベデッドコントローラ／キーボードコントローラＩＣ（ＥＣ／ＫＢＣ）２３およびＢＩＯＳ-ＲＯＭ２７が接続される。
【００３３】
ＢＩＯＳ−ＲＯＭ２７はＳｙｓｔｅｍ  ＢＩＯＳ１３ａ等を記憶する記憶媒体である。ＢＩＯＳ−ＲＯＭ２７として使用される記憶媒体は、プログラムの書き換えが可能である記憶媒体、例えばフラッシュメモリ等である。
【００３４】
Ｓｙｓｔｅｍ  ＢＩＯＳ１３ａは各種ハードウェアにアクセスするためのファンクション実行ルーチンを体系化したプログラムである。Ｓｙｓｔｅｍ  ＢＩＯＳ１３ａはＣＰＵ１０によって実行されることで、システムに対するパワーオン時に各種デバイスの初期化処理、Power on self test（ＰＯＳＴ）処理およびオペレーティングシステムをブートアップするためのブート処理を行う。
【００３５】
コンピュータ１がユーザによるパワーボタン６の操作によってパワーオン状態になると、Ｓｙｓｔｅｍ  ＢＩＯＳ１３ａはＰＯＳＴ処理を実行する。
【００３６】
エンベデッドコントローラ／キーボードコントローラＩＣ（ＥＣ／ＫＢＣ）２８は、電力管理等を行うためのエンベデッドコントローラと、キーボード（ＫＢ）ユニット５を制御するためのキーボードコントローラとが集積された１チップマイクロコンピュータである。
【００３７】
ＥＣ／ＫＢＣ２８にはキーボード５とパワーボタン６（Power Supply Controller）３０とが接続される。
【００３８】
ＥＣ／ＫＢＣ２８は、ＰＳＣ３０と共同してシステム電源のオン／オフ等を制御する電源シーケンス制御機能、および電源ステータス通知機能等を有する。
【００３９】
電源ステータス通知機能とは、ＰＳＣ３０と共同してレジューム処理ルーチンの開始要因となるウェイクアップイベントの発生を監視し、ウェイクアップイベント発生時にシステム管理割り込みＳＭＩ（System Management Interrupt）を用いてＳｙｓｔｅｍ  ＢＩＯＳ１３ａにイベントが発生した旨を通知する機能である。
【００４０】
ＥＣ／ＫＢＣ２８は、Ｓｙｓｔｅｍ  ＢＩＯＳ１３ａと通信を行うためのＩ／Ｏポートを有する。Ｓｙｓｔｅｍ  ＢＩＯＳ１３ａはＩ／Ｏポートを介してＥＣ／ＫＢＣ２８に設けられるコンフィグレーションレジスタに対してリード／ライトを行うことで、発生したイベントを示すステータスのリード、監視および通知するイベントの種類の設定を行う。ＥＣ／ＫＢＣ２８とＰＳＣ３０との間の通信はＩ２Ｃバスを介して行われる。
【００４１】
ＰＳＣ３０はＡＣアダプタ３１または二次電池３２から供給される電力をコンピュータ１内の各モジュールに供給する。二次電池３２は交換可能に設けられる。ＡＣアダプタ３１からコンピュータ１に電源が供給されている場合、ＡＣアダプタ３１から供給される電力は、ＰＳＣ３０を介して二次電池３２に蓄積される。
【００４２】
ユーザがパワーボタン６を操作すると、ＥＣ／ＫＢＣ２８はパワーボタン６が操作されたことを検出する。ＥＣ／ＫＢＣ２８は、パワーボタン６が操作されたことを検出すると、例えば本コンピュータ１のシステムに対して電源供給を開始するようにＰＳＣ３０に通知する。ＰＳＣ３０はＥＣ／ＫＢＣ２８からの通知に基いて、ＡＣアダプタ３１または二次電池３２からコンピュータ１のシステムに対して電源供給を開始するように制御する。次に、ＬＣＤ４に表示される接続部のアイコン表示の一例について説明する。
【００４３】
図３は、ＬＣＤ４に表示される接続部のアイコン表示の一例を示す図である。
【００４４】
ＬＣＤ４はウィンドウ１００を表示する。ウィンドウ１００は第１の領域１０１、第２の領域１０２および第３の領域１０３とで構成される。
【００４５】
第１の領域１０１には情報処理装置１を示す画像と情報処理装置１に実装されている接続部を示すアイコンとが表示される。
【００４６】
情報処理装置１を示す画像は、本体２の上面を示すアイコン１０１ａと本体２の背面を示すアイコン１０１ｂと本体２の左側面を示すアイコン１０１ｃと本体２の前面を示すアイコン１０１ｄと本体２の右側面を示すアイコン１０１ｅとで構成される。
【００４７】
本体２の上面を示すアイコン１０１ａには本体２に内蔵されるＨＤＤ２１を示すアイコン１０１ｆが表示される。
【００４８】
本体２の背面を示すアイコン１０１ｂには、接続部であるＵＳＢコネクタ２５ａを示すアイコン１０１ｇおよび接続部であるＵＳＢコネクタ２５ｂを示すアイコン１０１ｈが表示される。
【００４９】
ＵＳＢコネクタ２５ａにＵＳＢインタフェースを有する外部機器が接続されていることがＯＳによって検出されており、ＵＳＢコネクタ２５ａに接続されているＵＳＢインタフェースを有する外部機器に対してアクセス可能であり、かつ、ユーザが当該外部機器をアクセス対象である外部機器であると指定している場合、アイコン１０１ｇの表示状態は、「ＵＳＢコネクタ２５ａに接続されているＵＳＢインタフェースを有する外部機器に対してアクセス可能であり、かつ、ＵＳＢコネクタ２５ａに接続されているＵＳＢインタフェースを有する外部機器はアクセス対象である外部機器であるとユーザによって指定されている」ことをユーザが認識可能となるような表示状態となる。例えば、図３にて示されているように、アイコン１０１ｇの表示状態は塗りつぶされた状態となる。
【００５０】
ここで、ユーザがＵＳＢコネクタ２５ａに接続されているＵＳＢインタフェースを有する外部機器をアクセス対象である外部機器であると指定する方法の一例として、例えば、ユーザがポインタを用いてアイコン１０１ｇをクリックする、といった方法が考えられる。
【００５１】
一方、ＵＳＢコネクタ２５ｂに接続されているＵＳＢインタフェースを有する外部機器に対してアクセス不可能である場合、アイコン１０１ｈの表示状態は、ユーザが「ＵＳＢコネクタ２５ｂに接続されているＵＳＢインタフェースを有する外部機器に対してアクセス不可能である」ことを認識可能とするような表示状態となる。例えば、図３にて示されているようにアイコン１０１ｈの表示状態は例えば塗りつぶされていない状態となる。
【００５２】
本体２の左側面を示すアイコン１０１ｃには、接続部であるＩＥＥＥ１３９４コネクタ２６を示すアイコン１０１ｉが表示される。
【００５３】
ＩＥＥＥ１３９４コネクタ２６にＩＥＥＥ１３９４インタフェースを有する外部機器が接続されていることがＯＳによって検出されており、ＩＥＥＥ１３９４コネクタ２６に接続されているＩＥＥＥ１３９４インタフェースを有する外部機器に対してアクセス可能である場合、アイコン１０１ｉの表示状態は、ユーザが「ＩＥＥＥ１３９４コネクタ２６に接続されているＩＥＥＥ１３９４インタフェースを有する外部機器に対してアクセス可能である」ことを認識可能とするような表示状態となる。例えば、図３にて示されているようにアイコン１０１ｉの表示状態は例えば斜線で覆われた状態となる。
【００５４】
ＬＣＤ４に情報処理装置１における接続部（外部装置とのインタフェース）の実装位置を表示するとともに、接続部に接続されている外部機器へのアクセスが可能か否か等の情報も表示することで、ユーザは情報処理装置１における接続部の実装位置および接続部に接続されている外部機器へのアクセスが可能か否か等の情報を把握することが可能となる。
【００５５】
第２の領域１０２には、ＯＳによってアクセス可能な記憶装置の名前といった記憶装置を示す情報が表示される。
【００５６】
ＯＳによって本体２に内蔵されているＨＤＤ２１を論理ディスクとして識別する。ＯＳによって識別された論理ディスクを示す情報は、第２の領域１０２に例えば「ローカルディスク」１０２ｂと表示される。
【００５７】
また、接続部であるＩＥＥＥ１３９４コネクタ２６に接続され、ＯＳによってアクセス可能であるＤＶＤ−ＲＡＭドライブを示す情報は、第２の領域１０２に例えば「ＤＶＤ−ＲＡＭドライブ」１０２ｃと表示される。
【００５８】
さらに、接続部であるＵＳＢコネクタ２５ａに接続され、ＯＳによってアクセス可能であり、かつ、ユーザによってアクセス対象である外部機器として指定されているＵＳＢインタフェースを有するＨＤＤを示す情報は、第２の領域１０２に例えば「ＵＳＢ  ＨＤＤ」１０２ｄと反転された状態で表示される。
【００５９】
ここで、ユーザがＵＳＢコネクタ２５ａに接続されているＵＳＢインタフェースを有する外部機器をアクセス対象である外部機器であると指定する方法の一例として、例えば、ユーザがポインタを用いて「ＵＳＢ  ＨＤＤ」１０２ｄという表示をクリックする、といった方法が考えられる。
【００６０】
例えばＵＳＢコネクタ２５ａに接続されＯＳによってアクセス可能であるＵＳＢインタフェースを有するＨＤＤに記憶されているデータにアクセスする場合、ユーザが第２の領域１０２中の表示「ＵＳＢ  ＨＤＤ」１０２ｄ上にポインタを重ねクリックするといった所定の操作を行うと、ＵＳＢコネクタ２５ａに接続されＯＳによってアクセス可能であるＵＳＢインタフェースを有するＨＤＤに記憶されているデータ名が表示される。
【００６１】
例えば、ＵＳＢインタフェースを有するＨＤＤにデータ名「Ｆｉｌｅ１」であるデータおよびデータ名「Ｆｉｌｅ２」であるデータが記憶されている場合、第２の領域１０２中の表示「ＵＳＢ  ＨＤＤ」１０２ｄの下に「Ｆｉｌｅ１」１０２ｅ「Ｆｉｌｅ２」１０２ｆと表示される。
【００６２】
第３の領域１０３には、第２の領域１０２中の表示の中でユーザがポインタを用いて指定したＯＳによってアクセス可能な記憶装置に記憶されているデータに関する情報が表示される。
【００６３】
例えばユーザが第２の領域１０２中の表示「ＵＳＢ  ＨＤＤ」１０２ｄ上にポインタを重ねることで指定すると、第３の領域１０３にＵＳＢコネクタ２５ａに接続されＯＳによってアクセス可能であるＵＳＢインタフェースを有するＨＤＤに記憶されているデータに関する情報が表示される。例えばＵＳＢインタフェースを有するＨＤＤに記憶されているデータ「Ｆｉｌｅ１」のデータ名１０３ａおよびデータ「Ｆｉｌｅ１」を示すアイコン１０３ｂが表示される。
【００６４】
第１の領域に、情報処理装置１における接続部の実装位置情報が表示されるとともに接続部に接続されている外部機器へのアクセスが可能か否かについての情報も表示され、第３の領域に、接続部に接続されている外部機器に記憶されているデータに関する情報が表示されることで、例えばユーザが情報処理装置に接続されている外部機器を取り外す場合、第３の領域に表示されている外部記憶装置に記憶されているデータに関する情報および第１の領域に表示されている接続部の実装位置情報に基づいて、ユーザの所望しない外部機器の取り外し操作を防ぐことが可能となり、ひいては外部機器に記憶されているデータのロスを防ぐことが可能となる。
【００６５】
なお、第１の領域１０１に表示され且つ情報処理装置１に実装されている接続部に接続されている外部機器にアクセス可能な状態であることを示しているアイコンを、例えばユーザがポインタでクリックするといった操作をすることで、当該アイコンの表示状態を当該外部機器はアクセス対象である外部機器であるとユーザによって指定されていることを示す表示状態に変更するとともに、第２の領域１０２に表示されている当該外部機器を示す情報の表示状態を当該外部機器はアクセス対象である外部機器であるとユーザによって指定されていることを示す表示状態に変更させる、といった構成であってもよい。
【００６６】
さらに、第２の領域１０２に表示され且つ情報処理装置１に実装されている接続部に接続されている外部機器にアクセス可能な状態であることを示している当該外部機器を示す情報の表示状態を、例えばユーザがポインタで当該外部機器を示す情報をクリックするといった操作をすることで、当該外部機器はアクセス対象である外部機器であるとユーザによって指定されていることを示す表示状態に変更するとともに、第１の領域１０１に表示されている当該外部機器が接続されている接続部を示すアイコンの表示状態を当該外部機器はアクセス対象である外部機器であるとユーザによって指定されていることを示す表示状態に変更させる、といった構成であってもよい。次に、ＬＣＤ４に表示される接続部のアイコン表示に伴う、接続部に接続される外部機器についての情報表示の一例について説明する。
【００６７】
図４は、ＬＣＤ４に表示される接続部のアイコン表示に伴う、接続部に接続される外部機器についての情報表示の一例を示す図である。
【００６８】
ＬＣＤ４はウィンドウ２００を表示する。ウィンドウ２００は第１の領域２０１、第２の領域２０２、第３の領域２０３、第４の領域２０４および第５の領域２０５で構成される。
【００６９】
第１の領域２０１には、図３を用いて説明したとおり、情報処理装置１を示す画像と情報処理装置１に実装されている接続部を示すアイコンとが表示される。
【００７０】
図４を用いて説明するＬＣＤ４に表示される接続部のアイコン表示に伴う接続部に接続される外部機器についての情報表示の仕方と、図３を用いて説明したＬＣＤ４に表示される接続部のアイコン表示に伴う接続部に接続される外部機器についての情報表示の仕方との相違点を以下に説明する。
【００７１】
例えば、ＵＳＢコネクタ２５ａに接続されているＵＳＢインタフェースを有するＨＤＤに対してアクセス可能であり、かつ、ＵＳＢコネクタ２５ａに接続されているＵＳＢインタフェースを有するＨＤＤはアクセス対象である外部機器であるとユーザによって指定されている場合、アイコン２０１ｇの表示状態は塗りつぶされた状態となる。
【００７２】
さらに、第２の領域２０２には、ＵＳＢコネクタ２５ａに接続され、ＯＳによってアクセス可能であり、かつ、アクセス対象である外部機器であるとユーザによって指定されているＵＳＢインタフェースを有するＨＤＤを示す情報が、「ＵＳＢ  ＨＤＤ」２０２ａと反転された状態で表示される。
【００７３】
そして、第３の領域２０３には、ＵＳＢコネクタ２５ａに接続されＯＳによってアクセス可能であり、かつ、アクセス対象である外部機器であるとユーザによって指定されているＵＳＢインタフェースを有するＨＤＤに記憶されているデータに関する情報が表示される。例えばＵＳＢインタフェースを有するＨＤＤに記憶されているデータ「Ｆｉｌｅ１」のデータ名２０３ａおよびデータ「Ｆｉｌｅ１」を示すアイコン２０３ｂが表示される。
【００７４】
一方、ＵＳＢコネクタ２５ｂに接続されているＵＳＢインタフェースを有するメモリに対してアクセス可能である場合、アイコン２０１ｈの表示状態は斜線で覆われた状態となる。
【００７５】
さらに、第４の領域２０４には、ＵＳＢコネクタ２５ｂに接続され、ＯＳによってアクセス可能であるＵＳＢインタフェースを有するメモリを示す情報が「ＵＳＢ  メモリ」２０４ａと表示される。
【００７６】
そして、第５の領域２０５には、ＵＳＢコネクタ２５ｂに接続されＯＳによってアクセス可能であるＵＳＢインタフェースを有するメモリに記憶されているデータに関する情報が表示される。例えばＵＳＢインタフェースを有するメモリに記憶されているデータ「Ｆｉｌｅ１」のデータ名２０５ａおよびデータ「Ｆｉｌｅ１」を示すアイコン２０５ｂが表示される。
【００７７】
複数の外部装置に記憶されている夫々のデータに関する情報を外部装置毎に表示することで、ユーザは複数の外部装置に記憶されている夫々のデータに関する情報を容易に把握することが可能となる。
【００７８】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７９】
【図１】ディスプレイユニットを本体に対して開いた状態の一例を示す斜視図。
【図２】コンピュータの構成の一例を示す図。
【図３】ＬＣＤに表示される接続部のアイコン表示の一例を示す図。
【図４】ＬＣＤに表示される接続部のアイコン表示に伴う接続部に接続される外部機器についての情報表示の一例を示す図。
【符号の説明】
【００８０】
１…コンピュータ、２…本体、３…表示ユニット、４…ＬＣＤ、
５…キーボード、６…パワーボタン、７…ＡＣアダプタ、１０…ＣＰＵ、
１３ａ…Ｓｙｓｔｅｍ  ＢＩＯＳ、１３ｂ…ＯＳ、
２８…ＥＣ／ＫＢＣ、
【図１】
2007156554.tif 000003
【図２】
2007156554.tif 000004
【図３】
2007156554.tif 000005
【図４】
2007156554.tif 000006